(57)【要約】      （修正有）【課題】立体映像のクロストロークを減少させることができる立体映像表示装置とその駆動方法を提供する。【解決手段】立体映像表示装置は、表示パネルのデータラインにデータ電圧を供給するデータ駆動回路と、前記表示パネルのゲートラインにゲートパルスを供給するゲート駆動回路と、前記データ駆動回路と前記ゲート駆動回路の動作タイミングを制御するタイミングコントローラを備える。前記ゲート駆動回路は、前記タイミングコントローラの制御下に前記表示パネルに３Ｄ映像が表示される３Ｄモードで前記ゲートパルスのライジングタイミングを前記データ電圧のライジングエッジ時間後に遅延させる。【選択図】図５
2015007744.tif 000002
【特許請求の範囲】
【請求項１】
表示パネルのデータラインにデータ電圧を供給するデータ駆動回路と、
前記表示パネルのゲートラインにゲートパルスを供給するゲート駆動回路と、
前記データ駆動回路と前記ゲート駆動回路の動作タイミングを制御するタイミングコントローラとを備え、
前記ゲート駆動回路は、前記タイミングコントローラの制御下に前記表示パネルに３Ｄ映像が表示される３Ｄモードで前記ゲートパルスのライジングタイミングを前記データ電圧のライジングエッジ時間後に遅延させることを特徴とする立体映像表示装置。
【請求項２】
前記表示パネル上にフィルムパターンドリターダが接着されたことを特徴とする、請求項１記載の立体映像表示装置。
【請求項３】
前記タイミングコントローラは、前記ゲート駆動回路の出力タイミングを制御するゲート出力イネーブル信号を発生し、
前記ゲート出力イネーブル信号を用いて前記表示パネルに２Ｄ映像が表示される２Ｄモードで前記ゲートパルスのライジングタイミングを前記３Ｄモードより速く制御することを特徴とする、請求項１記載の立体映像表示装置。
【請求項４】
前記タイミングコントローラは、前記ゲート駆動回路の出力タイミングを制御するゲート出力イネーブル信号を発生し、
前記ゲート出力イネーブル信号を用いて、前記表示パネルに２Ｄ映像が表示される２Ｄモードで、前記ゲートパルスのライジングタイミングを前記データ電圧のライジングエッジ時間以後に遅延させ、
前記２Ｄモードと前記３Ｄモードで、データ電圧のライジングエッジから前記ゲートパルスのライジングタイミングエッジ間の遅延時間が互いに同一となるように制御することを特徴とする、請求項１記載の立体映像表示装置。
【請求項５】
前記タイミングコントローラは、前記ゲート出力イネーブル信号を用いて、前記２Ｄモードで発生する前記ゲートパルスのパルス幅が、前記３Ｄモードで発生する前記ゲートパルスのパルス幅より大きくなるように制御することを特徴とする、請求項３又は４記載の立体映像表示装置。
【請求項６】
前記タイミングコントローラは、前記ゲート出力イネーブル信号を用いて、前記２Ｄモードで発生する前記ゲートパルスのパルス幅が、前記３Ｄモードで発生する前記ゲートパルスのパルス幅と同一となるように制御することを特徴とする、請求項３又は４記載の立体映像表示装置。
【請求項７】
表示パネルのデータラインにデータ電圧を供給する段階と、
前記表示パネルのゲートラインにゲートパルスを供給する段階を含み、
前記表示パネルに３Ｄ映像が表示される３Ｄモードで、前記ゲートパルスのライジングタイミングを前記データ電圧のライジングエッジ時間後に遅延させることを特徴とする立体映像表示装置の駆動方法。
【請求項８】
前記表示パネルに２Ｄ映像が表示される２Ｄモードで前記ゲートパルスのライジングタイミングを前記３Ｄモードより速く制御することを特徴とする、請求項７記載の立体映像表示装置の駆動方法。
【請求項９】
前記表示パネルに２Ｄ映像が表示される２Ｄモードで前記ゲートパルスのライジングタイミングを前記データ電圧のライジングエッジ時間以後に遅延させ、
前記２Ｄモードと前記３Ｄモードで、データ電圧のライジングエッジから前記ゲートパルスのライジングタイミングエッジ間の遅延時間が互いに同一となるように制御することを特徴とする、請求項７記載の立体映像表示装置の駆動方法。
【発明の詳細な説明】
【技術分野】
【０００１】
本発明は、立体映像表示装置とその駆動方法に関する。
【背景技術】
【０００２】
立体映像表示装置は、特殊な眼鏡を必要とする眼鏡方式と、眼鏡が必要のない無眼鏡方式に分けられることができる。眼鏡方式は、直視型表示素子やプロジェクタに左右視差映像の偏光方向を変えることによって、または左右視差映像を時分割して表示し、偏光眼鏡や液晶シャッタ眼鏡を使用して立体映像を実現する。無眼鏡方式は、一般的に左右視差映像の光軸を分離するためのレンチキュラーレンズ(Lenticular lens)、パララックスバリヤ（Parallax barrier）などの光学板を表示画面の前に設置して表示画面で左眼映像の光と右眼映像の光を分離して立体映像を実現する。
【０００３】
眼鏡方式の立体映像表示装置は、偏光眼鏡方式とシャッタ眼鏡方式に分けられる。偏光眼鏡方式は、表示パネルにパターンドリターダ（Patterned retarder）のような偏光分離素子を接合しなければならない。パターンドリターダは、表示パネルに表示される左眼映像と右眼映像の偏光を分離することにより、両眼視差を実現する。視聴者は、偏光眼鏡を着用してパターンドリターダを介して偏光が分離された左眼映像と右眼映像を左眼と右眼に分離して見るようになるため、両眼視差により立体感を感じることができる。パターンドリターダは、ガラス基板上にパターンドリターダが形成されたガラスパターンドリターダ（Glass Patterned Retarder、ＧＰＲ）と、フィルム基板上にパターンドリターダが形成されたフィルムパターンドリターダ（Film Patterned Retarder、ＦＰＲ）に分けられる。最近では、グラスパターンドリターダ（ＧＰＲ）に比べて表示パネルの厚さ、重さ、価格などを減少することができるフィルムパターンドリターダ（ＦＰＲ）が好まれている。
【０００４】
両眼視差で立体映像を表示する立体映像表示装置において左眼映像と右眼映像が完全に分離されていなければ、視聴者は、単眼（左眼または右眼）で左眼映像と右眼映像が重なって見えるクロストーク（Crosstalk）を感じるようになる。階調対階調（Gray to Gray、ＧＴＧ）クロストークは、実際の視聴環境下での立体映像の画質特性を決定する重要な指標である。階調対階調（ＧＴＧ）クロストークは、階調値の変化によるクロストークの程度を意味する。
【０００５】
偏光眼鏡方式の立体映像表示装置は、画面（または画素アレイ）の奇数番目の画素ライン（以下、“奇数ライン”と略称する）と偶数画素ライン（以下、“偶数ライン”と略称する）に分けて左眼映像と右眼映像を表示することができる。このような偏光眼鏡方式の立体映像表示装置において、階調対階調（ＧＴＧ）クロストークは画面の奇数ラインと偶数ラインの階調値に応じた認知クロストークの平均値で表現することができる。偏光眼鏡方式の立体映像表示装置は、同じデータラインに接続された奇数ラインの画素と偶数ラインの画素に書き込まれるデータが左眼映像と右眼映像の両眼視差だけ階調差が大きいため、他の立体映像表示方法に比べて階調対階調クロストークにさらに脆弱する。言いかえれば、偏光眼鏡方式の立体映像表示装置の場合、同じデータラインを介して奇数ラインの画素と偶数ラインの画素に連続的に供給されるデータ電圧の階調差の変動が大きい。
【発明の概要】
【発明が解決しようとする課題】
【０００６】
本発明の目的とするところは、立体映像のクロストークを減少することができる立体映像表示装置とその駆動方法を提供することにある。
【課題を解決するための手段】
【０００７】
前記課題を解決するために、本発明の立体映像表示装置は、表示パネルのデータラインにデータ電圧を供給するデータ駆動回路と、前記表示パネルのゲートラインにゲートパルスを供給するゲート駆動回路と、前記データ駆動回路と前記ゲート駆動回路の動作タイミングを制御するタイミングコントローラを備える。前記ゲート駆動回路は、前記タイミングコントローラの制御下に前記表示パネルに３Ｄ映像が表示される３Ｄモードで前記ゲートパルスのライジングタイミングを前記データ電圧のライジングエッジ時間後に遅延させる。
【０００８】
前記立体映像表示装置の駆動方法は、表示パネルのデータラインにデータ電圧を供給する段階と、前記表示パネルのゲートラインにゲートパルスを供給する段階を含む。前記表示パネルに３Ｄ映像が表示される３Ｄモードで前記ゲートパルスのライジングタイミングを前記データ電圧のライジングエッジ時間後に遅延させる。
【発明の効果】
【０００９】
本発明は、ゲートパルスのライジングタイミングを前記データ電圧のライジングエッジ時間後に遅延させることで立体映像の階調対階調（ＧＴＧ）のクロストークを最小限に抑えることができる。その結果、本発明は、実際の視聴環境で視聴者が感じる立体映像の表示品質を向上させることができる。
【図面の簡単な説明】
【００１０】
【図１】本発明の実施形態に係る立体映像表示装置を概略的に示す図である。
【図２】図１に示した立体映像表示装置の駆動回路を示すブロック図である。
【図３】データ電圧のライジング特性の違いにより、画素電圧のばらつきが発生する例を示す波形図である。
【図４】連続されるデータの階調差によって発生されるデータ電圧のライジング特性の違いを示す図である。
【図５】本発明の実施形態に係るゲートパルスのライジングタイミングの遅延方法を示す波形図である。
【図６】ガンマ特性を示す図である。
【図７】本発明の他の実施形態に係るゲートパルスのライジングタイミングの遅延方法を示す波形図である。
【図８】データ電圧とゲートパルスの制御方法を示す波形図である。
【図９】データ電圧とゲートパルスの制御方法を示す波形図である。
【図１０】データ電圧とゲートパルスの制御方法を示す波形図である。
【図１１】データ電圧とゲートパルスの制御方法を示す波形図である。
【図１２】ゲートパルスのライジングタイミング遅延時間の設定方法を示す波形図である。
【図１３】同じデータラインに接続され、垂直方向に隣接した二つの画素を示す回路図である。
【図１４】図１３のような画素に印加されるデータ電圧とゲートパルスの一例を示す波形図である。
【図１５】本発明の実施形態に係る立体映像表示装置の駆動方法を示すフローチャートである。
【図１６】本発明の他の実施形態に係る立体映像表示装置の駆動方法を示すフローチャートである。
【発明を実施するための形態】
【００１１】
以下、添付図面を参照しながら、本発明の好適な実施の形態について詳細に説明する。明細書全体にかけて同一の参照番号は実質的に同一の構成要素を意味する。以下の説明で、本発明に関する公知の機能や構成についての具体的な説明が本発明の要旨を不必要に不明確にすると判断される場合には、その詳細な説明を省略する。
【００１２】
本発明の立体映像表示装置は、液晶表示装置に基づいて実現することができる。液晶表示装置は、透過型液晶表示装置、半透過型液晶表示装置、反射型液晶表示装置など、どのような形でも実現することができる。透過型液晶表装置と半透過型液晶表示装置では、図で省略されたバックライトユニットが必要である。バックライトユニットは直下型（direct type）バックライトユニットまたは、エッジタイプ（edge type）バックライトユニットに実現することができる。
【００１３】
図１及び図２を参照すると、本発明の実施形態に係る立体映像表示装置は、表示パネル（ＰＮＬ）、パターンドリターダ（ＰＲ）、偏光眼鏡３１０などを含む。
【００１４】
表示パネル（ＰＮＬ）は液晶表示装置（Liquid Crystal Display、ＬＣＤ）の表示パネルに実現されることがあるが、これに限定されない。表示パネル（ＰＮＬ）には、データラインとゲートラインが交差され画素がマトリクスに配置され２Ｄ/３Ｄ映像が表示される画素アレイを含む。表示パネル（ＰＮＬ）は、画素にデータ電圧とゲートパルス（またはスキャンパルス）が印加される平板表示装置、例えば、液晶表示装置、有機発光ダイオード表示装置（Organic Light Emitting Diode Display、ＯＬＥＤ）などの表示パネルに実現することができる。
【００１５】
液晶表示装置の場合、表示パネル（ＰＮＬ）の下板には、データライン１０６、データライン１０６と直交するゲートライン１０７ 、データライン１０６とゲートライン１０７の交差部に形成されたＴＦＴ（Thin Film Transistor、図１３のＴ）、ＴＦＴ（Ｔ）に接続された液晶セル（図１３のＣｌｃ）の画素電極と共通電極、液晶セル（Ｃｌｃ）に接続されたストレージ キャパシター（図１３のＣｓｔ）などが形成される。液晶表示パネル（ＰＮＬ）の上板には、ブラックマトリクス、カラーフィルタなどが形成される。液晶表示パネル（ＰＮＬ）の下板と上板のそれぞれには、図示しない偏光板が接着される。下板と上板それぞれにおいて液晶と接する面には、液晶のプレチルト角（pre-tilt angle）を設定するための配向膜が形成される。下板と上板との間には、液晶層のセルギャップ（Cell gap）を維持するためのカラムスペーサが形成される。
【００１６】
パターンドリターダ（ＰＲ）は、表示パネル（ＰＮＬ）上に接着される。パターンドリターダ（ＰＲ）は、液晶表示パネル（ＰＮＬ）の画面（または画素アレイ）において奇数ラインと対向する第１位相遅延パターン３００ａと、偶数ラインと対向する第２位相遅延パターン３００ｂを含む。第１位相遅延パターン３００ａと第２位相遅延パターン３００ｂの光軸は互いに直交する。第１位相遅延パターン３００ａと第２位相遅延パターン３００ｂのそれぞれは、入射光の位相を１/４波長だけ遅延させる複屈折媒質として実現することができる。パターンドリターダ（ＰＲ）は、フィルム基板ベースのフィルムパターンドリターダ（ＦＰＲ）で実現することができる。
【００１７】
表示パネル（ＰＮＬ）の奇数目のラインは、左眼映像を表示することができ、偶数ラインは、右眼映像を表示することができる。この場合に、画素アレイの奇数ラインに表示された左眼映像の光は、上部偏光板を通過してパターンドリターダ（ＰＲ）の第１位相遅延パターン３００ａに入射される。画素アレイの偶数ラインに表示された右眼映像の光は、上部偏光板を通過して第２位相遅延パターン３００ｂに入射される。左眼映像と右眼映像の光は、上部偏光板を通過して、同じ光軸を有する線偏光でパターンドリターダ（ＰＲ）に入射される。上部偏光板を介してパターンドリターダ（ＰＲ）に入射される左眼映像の線偏光は、パターンドリターダ（ＰＲ）の第１位相遅延パターン３００ａの位相差値だけ位相遅延され、第１位相遅延パターン３００ａを通過した後、第1偏光に変わるようになる。上部偏光板を介してパターンドリターダ（ＰＲ）に入射される右眼映像の線偏光は、第２位相遅延パターン３００ｂの位相差値だけ位相遅延され、第２位相遅延パターン３００ｂを通過した後、第２偏光に変わるようになる。第1偏光は左円偏光に、第２偏光は、右円偏光に例示されているが、これに限定されない。第1偏光と第２偏光は、パターンドリターダ（ＰＲ）で位相遅延パターン（３００ａ、３００ｂ）の位相遅延値と光軸方向に沿って、その偏光特性が異なることがある。
【００１８】
偏光眼鏡３１０の左眼偏光フィルターは、第１偏光のみを通過させ、右眼偏光フィルターは、第２偏光のみを通過させる。したがって、３Ｄモードで、視聴者が偏光眼鏡３１０を着用すると、視聴者は左眼で左眼映像が表示される画素のみを見ることができ、右眼で右眼映像が表示される画素のみを見ることができるので、両眼視差により立体映像を鑑賞することができる。
【００１９】
本発明の立体映像表示装置は、表示パネル駆動回路を含む。表示パネル駆動回路は、 ２Ｄモードで２Ｄ映像のデータを表示パネル（ＰＮＬ）の画素に書き込み、３Ｄモードで３Ｄ映像（または立体映像）のデータを表示パネル（ＰＮＬ）の画素に書き込む。表示パネル駆動回路は、図２に示すように、データ駆動部１０２、ゲート駆動部１０３、データフォーマッタ１０５、タイミングコントローラ１０１などを含む。
【００２０】
データ駆動部１０２は、タイミングコントローラ１０１の制御下に２Ｄ/３Ｄ映像のデジタルビデオデータ（ＲＧＢ）をラッチ（Latcｈ）する。データ駆動部１０２は、デジタルビデオデータ（ＲＧＢ）をガンマ補償電圧に変換し、データ電圧を発生する。データ駆動部１０２は、２Ｄモードで、左眼映像と右眼映像の区別がない、すなわち、両眼視差のない２Ｄ映像のデータ電圧を出力する。データ駆動部１０２は、３Ｄモードで、左眼映像のデータ電圧と右眼映像のデータ電圧（図３〜図８、Ｖｄａｔａ）をデータライン１０６に供給する。
【００２１】
ゲート駆動部１０３は、タイミングコントローラ１０１の制御下にゲートパルス（またはスキャンパルス）をゲートライン１０７に順次供給する。ゲートパルス（図３〜図１４、Ｖｇａｔｅ）は、図３〜図１４に示すようにゲートロー電圧（ＶＧＬ）とゲートハイ電圧（ＶＧＨ）との間でスイング（swing）する。
【００２２】
データフォーマッタ１０５は、３Ｄモードでホスト・システム１０４から入力される３Ｄ映像データの入力を受け左眼映像データと右眼映像データをラインごとに分離してタイミングコントローラ１０１に伝送する。また、データフォーマッタ１０５は、２Ｄ−３Ｄ映像変換アルゴリズムを用いて、３Ｄモードでホスト・システム１０４から入力される２Ｄ映像データを３Ｄ映像データに変換し、その３Ｄ映像データの左眼映像データと右眼映像データをラインごとに分離してタイミングコントローラ１０１に伝送することができる。データフォーマッタ１０５は、２Ｄモードでホスト・システム１０４から入力される２Ｄ映像データをそのままタイミングコントローラ１０１に伝送する。
【００２３】
タイミングコントローラ１０１は、ホスト・システム１０４から入力される垂直同期信号（Ｖｓｙｎｃ）、水平同期信号（Ｈｓｙｎｃ）、データイネーブル信号（Data Enable、ＤＥ）、メインクロック（ＣＬＫ）などのタイミング信号の入力を受け、データ駆動部１０２、ゲート駆動部１０３と３Ｄ制御部１１２の動作タイミングを制御するためのタイミング制御信号を発生する。
【００２４】
タイミング制御信号は、ゲート駆動部１０３の動作タイミングを制御するためのゲートタイミング制御信号と、データ駆動部１０２の動作タイミングとデータ電圧の極性を制御するためのデータタイミング制御信号を含む。また、タイミング制御信号は、３Ｄ制御部１１２の動作タイミングを制御するための３Ｄタイミング制御信号を含む。
【００２５】
ゲートタイミング制御信号は、ゲートスタートパルス（Gate Start Pulse、ＧＳＰ）、ゲートシフトクロック（Gate Shift Clock、ＧＳＣ）、ゲート出力イネーブル信号（Gate Output Enable、ＧＯＥ）などを含む。ゲートスタートパルス（ＧＳＰ）はゲート駆動部１０３のスタートの動作タイミングを制御する。ゲートシフトクロック（ＧＳＣ）は、ゲートスタートパルス（ＧＳＰ）をシフトさせるためのクロック信号である。ゲート出力イネーブル信号（ＧＯＥ）はゲート駆動部１０３の出力タイミングを制御する。ゲートタイミング制御信号は、２Ｄモードと３Ｄモードから発生する。
【００２６】
データタイミング制御信号は、ソーススタートパルス（Source Start Pulse、ＳＳＰ）、ソースサンプリングクロック（Source Sampling Clock、ＳＳＣ）、極性制御信号（Polarity：ＰＯＬ）、及びソース出力イネーブル信号（Source Output Enable、ＳＯＥ）などを含む。ソーススタートパルス（ＳＳＰ）は、データ駆動部１０２のデータサンプリングスタートのタイミングを制御する。ソースサンプリングクロック（ＳＳＣ）は、ソーススタートパルス（ＳＳＰ）のシフト（ｓｈｉｆｔ）タイミングを制御するためのクロック信号である。極性制御信号（ＰＯＬ）は、データ駆動部１０２から出力されるデータ電圧の極性反転タイミングを制御する。ソース出力イネーブル信号（ＳＯＥ）は、データ駆動部１０２の出力タイミングを制御する。有機発光ダイオード表示装置の場合、極性制御信号（ＰＯＬ）は省略することができる。
【００２７】
タイミングコントローラ１０１ は、入力フレーム周波数をｉ倍して、入力フレーム周波数×ｉ（iは正の整数）Ｈｚのフレーム周波数で駆動回路（２０８、１０３）の動作タイミングを制御することができる。入力フレーム周波数はＮＴＳＣ（National Television Standards Committee）方式で６０Ｈｚであり、ＰＡＬ（Phase-Alternating Line）方式で５０Ｈｚである。
【００２８】
ホストシステム１０４は、 ＴＶシステム、ナビゲーションシステム、セットトップボックス、ＤＶＤプレーヤー、ブルーレイプレーヤー、パーソナルコンピュータ（ＰＣ） 、ホームシアターシステム、放送受信機、携帯電話システム（Phone system）のうちいずれか１つを実現することができる。ホスト・システム１０４は、２Ｄモードと３Ｄモードを指示するモード選択信号をタイミングコントローラ１０１に供給することができる。ホスト・システム１０４は、データフォーマッタ１０５を介して２Ｄ/３Ｄ映像データとタイミング信号をタイミングコントローラ１０１に供給する。ホスト・システム１０４は、ユーザー入力装置１１０を介して入力されるユーザーデータに応答して、２Ｄモード動作と３Ｄモード動作を切り替える。ホスト・システム１０４は、入力映像のデータにエンコードされた２Ｄ/３Ｄ識別コード、例えば、デジタル放送規格のＥＰＧ（Electronic Program Guide）またはＥＳＧ（Electronic Service Guide）にコーディング(coding)できる２Ｄ/３Ｄ識別コードを検出して、２Ｄモードと３Ｄモードを区別することができる。
【００２９】
ユーザーは、ユーザー入力装置１１０を介して２Ｄモードと３Ｄモードを選択することができる。ユーザー入力装置１１０は、液晶表示パネル（ＰＮＬ）上に接着されるか内蔵されたタッチスクリーン、オンスクリーンディスプレイ（On screen display、ＯＳＤ）、キーボード、マウス、リモートコントローラー（Remote controller）などを含む。
【００３０】
本願の発明者は、図１及び図２のような立体映像表示装置の階調対階調（ＧＴＧ）クロストーク評価実験を通じて、データ駆動回路１０２から左眼映像のデータ電圧と右眼映像のデータ電圧が交互に出力される時、先の単眼映像（左眼映像または右眼映像）のデータ電圧の階調により、その後のデータライン１０６に供給される他の単眼映像（右眼映像または左眼映像）のデータ電圧のライジング（rising）の特性が変化することを確認した。データ電圧のライジング特性変化は図３及び図４から分かるように、同じ階調で画素に充電される画素電圧のバラツキを誘発し、視聴者にとって階調対階調（ＧＴＧ）クロストークを感じさせる。図３及び図４において、Ｖｄａｔａは、データライン１０６に印加されるデータ電圧である。Ｖｐｉｘは画素の画素電極に充電される画素電圧である。ΔＶｐｉｘは、画素電圧の偏差である。データ電圧（Ｖｄａｔａ）は、データライン１０６とＴＦＴを介して画素の画素電極に印加することができる。Ｖｇａｔｅは、ゲートライン１０７に印加されるゲートパルスの電圧である。Ｖｃｏｍは共通電極に印加される共通電圧である。図３の（ａ）は、第Ｎ（Ｎは正の整数）ラインの画素に書き込まれる単眼映像の階調と第Ｎ＋１ラインの画素に書き込まれる他の単眼映像の階調間の差が小さいとき画素電圧のライジングが速くて画素充電量が大きい例である。ここで、第Ｎラインの画素と第Ｎ＋１ラインの画素は同じデータラインに接続され、データ電圧を連続的に充電する画素である。図３において（ｂ）は、第Ｎラインの画素に書き込まれる単眼映像の階調と第Ｎ＋１ラインの画素に書き込まれる他の単眼映像の階調間の差が相対的に大きい時、画素電圧のライジングが遅延されて画素充電量が少ない例である。例えば、（ａ）はデータラインを介して第Ｎラインの画素に充電される左眼映像データの階調がホワイト階調であり、続いて同じデータラインを介して第Ｎ＋１ラインの画素に充電される右眼映像データの階調がホワイト階調である場合である。（ｂ）はデータラインを介して第Ｎラインの画素に充電される左眼映像データの階調がブラック階調であり、続いて同じデータラインを介して第Ｎ＋１ラインの画素に充電される右眼映像データの階調がホワイト階調である場合である。
【００３１】
図４において、第１波形１１は、階調値２５５の第１単眼映像データ電圧がデータライン１０６に供給された直後に、水平ブランキング（horizontal blanking）期間に続いて階調値１９１の第２単眼映像データ電圧がそのデータライン１０６に供給されたデータ電圧波形である。第２波形１２は、階調値１９１の第１単眼映像データ電圧がデータライン１０６に供給された直後に、水平ブランキング期間に続いて階調値１９１の第２単眼映像データ電圧がそのデータライン１０６に供給されたデータ電圧波形である。第３波形１３は、階調値０の第１単眼映像データ電圧がデータライン１０６に供給された直後に、水平ブランキング期間に続いて階調値１９１の第２単眼映像データ電圧がそのデータライン１０６に供給されたデータ電圧波形である。第１〜第３波形（１１、１２、１３）で第２単眼映像データ電圧の階調が１９１で同じであるが、その直前の第１単眼映像データ電圧階調の影響により、ライジングエッジ時間（ｔ１１、ｔ１２、ｔ１３）が異なる。これは、第Ｎデータ電圧の階調に応じて、データライン１０６の寄生容量に充電される電圧が変化して、その後、第Ｎ＋１データ電圧が供給されるとき、データライン１０６のフリーチャージング電圧により、ライジングエッジ時間が異なるからである。
【００３２】
３Ｄ映像は両眼視差だけ左眼映像と右眼映像が分離されるため、隣接する画素の階調差が大きくなり、隣接する画素間の画素電圧のライジング特性差が大きくなることがある。これに比べ、２Ｄ映像は、左眼映像と右眼映像に分離されない映像つまり、両眼視差のない映像であるため、隣接する画素に充電される画素電圧の階調がほとんど類似である。したがって、２Ｄモードで階調差により、隣接する画素に充電される画素電圧のライジング特性の違いはほとんどない。２Ｄモードで、連続されるデータ電圧の極性が同じか異なる時、画素電圧のライジング特性の違いが発生することがある。
【００３３】
本願発明者らは、実際の視聴環境下で、視聴者が感じる階調対階調（ＧＴＧ）のクロストークを低減するために、図５及び図６のように３Ｄモードでゲートパルスがライジング（rising）するライジングタイミングを適切に遅延させた。本願発明者らはゲートパルスを遅延させ、図１及び図２のような立体映像表示装置に適用して実験した結果、階調対階調（ＧＴＧ）クロストーク低減効果を確認した。タイミングコントローラ１０１から出力されるゲート出力イネーブル信号（ＧＯＥ）のタイミングを調整すると、ゲート駆動部１０３の出力が遅延されるため、ゲートパルスを遅延させることができる。
【００３４】
図５〜図７は本発明の実施形態に係るゲートパルスのライジングタイミング遅延方法を示す図である。
【００３５】
図５〜図７を参照すると、本発明の実施形態に係るゲートパルスのライジングタイミング遅延方法はデータ電圧（Ｖｄａｔａ）のライジング特性のバラツキが画素の画素電圧に影響を与えないようにゲートパルス（Ｖｇａｔｅ）のライジングタイミングをデータ電圧（Ｖｄａｔａ）のライジングエッジの後に遅延させる。
【００３６】
ゲートオンタイミング遅延方法は、図５に示すようにゲートパルス（Ｖｇａｔｅ）の
ライジングタイミングだけ遅延させることができる。この場合に、従来技術に比べて、
フォーリングタイミングが同じでライジングタイミングが遅くなるため、ゲートパルス（Ｖｇａｔｅ）のパルス幅を小さくすることができる。
【００３７】
図５のようなゲートオンタイミング遅延方法は、画素の画素電圧充電時間の低下をも
たらすことができる。図６の点線で示すように、高階調領域と低階調領域での電圧差が中間階調に比べて小さいため、図５のようにパルス幅が小さくなったゲートパルスにより画素電圧が小さくなるとしても高階調領域と低階調領域で、視聴者が感じることができる程度の輝度差がほとんどない。中間階調は、図６のように画素電圧のわずかな違いにも輝度差が認識されることができるため、ガンマ特性が異なることがある。これを考慮して、図５のようなゲートオンタイミング遅延方法を適用すると、ガンマチュ―ニングを適切に調節することができる。図６において、横軸（Ｖ）は、画素に充電される画素電圧であり、縦軸（Ｔ）は、画素の光透過率である。
【００３８】
図５の（ａ）は、図３の（ａ）に示すように階調差が小さいデータ電圧が同じデータラインを介して第Ｎ及び第Ｎ＋１ラインの画素に連続的に供給される時ゲートパルスを遅延させた例である。図５の（ｂ）は、図３の（ｂ）に示すように階調差が相対的に大きいデータ電圧が同じデータラインを介して第Ｎ及び第Ｎ＋１ラインの画素に連続的に供給される時ゲートパルスを遅延させた例である。本発明は、図５の（ａ）及び（ｂ）から分かるように、連続した左眼映像と右眼映像の階調差の変動が大きくても、隣接するラインの画素に充電されるデータ電圧の充電量を均一にすることができる。
【００３９】
ゲートオンタイミング遅延方法は、図７のようにゲートパルス（Ｖｇａｔｅ）のライ
ジングタイミングとフォーリングタイミングを一緒に遅延させることができる。この場合には、ゲートパルス（Ｖｇａｔｅ）のパルス幅が小さくならないので、画素電圧の充電率と画素の輝度低下がない。
【００４０】
図７の（ａ）は、図３の（ａ）に示すように階調差が小さいデータ電圧が同じデータラインを介して第Ｎ及び第Ｎ＋１ラインの画素に連続的に供給される時ゲートパルスを遅延させ、そのパルス幅を増加させた例である。図７の（ｂ）は、図３の（ｂ）に示すように階調差が相対的に大きいデータ電圧が同じデータラインを介して第Ｎ及び第Ｎ＋１ラインの画素に連続的に供給される時ゲートパルスを遅延させ、そのパルス幅を増加させた例である。
【００４１】
図８〜図１１は、データ電圧とゲートパルスの制御方法を示す図である。
【００４２】
図８〜図１１を参照すると、データ駆動回路１０２は、ソース出力イネーブル信号（ＳＯＥ）のロー・ロジック（low logic）区間の間、データ電圧（Ｖｄａｔａ）を出力する。ゲート駆動回路１０３は、ゲート出力イネーブル信号（ＧＯＥ）のロー・ロジック区間の間のゲートパルス（Ｖｇａｔｅ）を出力する。
【００４３】
従来の技術または２Ｄモードで、ソース出力イネーブル信号（ＳＯＥ）とゲート出力イネーブル信号（ＧＯＥ）が、図９のような形で発生すると仮定する時、ゲート出力イネーブル信号（ＧＯＥ）を、図１０のように所定時間（Ｔｄ）だけ遅延させると、図７のように、遅延したゲートパルス（Ｖｇａｔｅ）を実現することができる。ゲート出力イネーブル信号（ＧＯＥ）を、図１１のように所定時間（Ｔｄ）だけ遅延させ、そのパルス幅を増やしてデューティ比を大きくすると、図５のように、遅延したゲートパルス（Ｖｇａｔｅ）を実現することができる。
【００４４】
図１２は、ゲートパルス（Ｖｇａｔｅ）のライジングタイミング遅延時間の設定方法を示す図である。
【００４５】
図１２を参照すると、ゲートパルス（Ｖｇａｔｅ）の遅延時間（Ｔｄ）は、同じデータラインを介して連続的に供給される第１及び第２単眼映像データ電圧の階調を変化させ、そのデータ電圧のライジングエッジの時間を測定し最大のライジングエッジ時間に基づいてゲートパルス（Ｖｇａｔｅ）のライジングタイミングの遅延時間（Ｔｄ）を設定することができる。例えば、ゲートパルス（Ｖｇａｔｅ）のライジングタイミングの遅延時間（Ｔｄ）は、データ電圧（Ｖｄａｔ）の最大ライジングエッジ時間以上でありゲートパルス（Ｖｇａｔｅ）の１/２パルス幅以下の時間に設定することができる。ゲートパルス（Ｖｇａｔｅ）のライジングタイミングの遅延時間（Ｔｄ）は、データ電圧（Ｖｄａｔ）の最大ライジングエッジ時間と実質的に同じ時間に設定することもできる。
【００４６】
液晶表示装置は、液晶の劣化を防止し、残像やフリッカーを防止するためにデータ電圧の極性を時間的に空間的に反転させる。ほとんどの液晶表示装置は、１ドット（ｄｏｔ）または２ドット単位で隣接する画素に充電されるデータ電圧の極性を互いに反転させ、または１フレーム期間ごとに反転させるドットインバージョン（dot inversion）でデータ電圧（Ｖｄａｔａ）の極性を反転させる。１ドット（ｄｏｔ）は１画素または１サブ画素である。第Ｎ及び第Ｎ＋１データ電圧（Ｖｄａｔａ）の極性が同じ時、第Ｎ＋１のデータ電圧のライジングエッジ時間は、一般的に、第Ｎ及び第Ｎ＋１データ電圧（Ｖｄａｔａ）の極性が異なる時、第Ｎ＋１データ電圧のライジングエッジ時間より短い。したがって、ゲートパルス（Ｖｇａｔｅ）のライジングタイミングは、データ電圧の極性と階調の変化によって異なるデータ電圧（Ｖｄａｔ）のライジングエッジ時間バラツキの中で最大のライジングエッジ時間以上に設定することができる。
【００４７】
図１３は、同じデータラインに接続され、垂直方向に隣接した二つの画素を示す回路図である。図１４は、図１３のような画素に印加されるデータ電圧とゲートパルスの一例を示す図である。図１４のようなデータ電圧が２ドットのバージョンの形で反転される例である。２ドットインバージョンは、データ電圧の極性を２水平期間周期で反転させる。図１３及び図１４において、Ｄ１は、データライン１０６であり、Ｇ１とＧ２はゲートラインである。図１３及び図１４において、データ電圧（Ｖｄａｔａ）は２ドットインバージョンに極性が反転される。
【００４８】
図１５及び図１６は、本発明の実施形態に係る立体映像表示装置の駆動方法を示す。
【００４９】
図１５を参照すると、本発明の立体映像表示装置は３Ｄモードで表示パネル（ＰＮＬ）のデータライン１０６に３Ｄ映像のデータ電圧（Ｖｄａｔａ）を出力し（Ｓ３１とＳ３２）、所定時間（Ｔｄ）だけ遅延されたゲートパルス（Ｖｇａｔｅ）をゲートライン１０７に出力する（Ｓ３３）。ゲートパルス（Ｖｇａｔｅ）は、図５または図７のような形で遅延することができる。
【００５０】
本発明の立体映像表示装置は、２Ｄモードで表示パネル（ＰＮＬ）のデータライン１０６に両眼視差のない２Ｄ映像のデータ電圧（Ｖｄａｔａ）を出力し、遅延なしに、ゲートパルス（Ｖｇａｔｅ）をゲートライン１０７に出力する（Ｓ３４とＳ３５）。
【００５１】
図１５のような立体映像表示装置の駆動方法は、２Ｄモードと３Ｄモードで同じゲートライン１０７に印加されるゲートパルス（Ｖｇａｔｅ）のライジングタイミングが異なる。具体的に、３Ｄモードで発生するゲートパルスのライジングタイミングは２Ｄモードで発生するゲートパルスのそれよりも遅くなる。
【００５２】
図１６を参照すると、本発明の立体映像表示装置は３Ｄモードで表示パネル（ＰＮＬ）のデータライン１０６に３Ｄ映像のデータ電圧（Ｖｄａｔａ）を出力し（Ｓ４１とＳ４２）、所定時間（Ｔｄ）だけ遅延されたゲートパルス（Ｖｇａｔｅ）をゲートライン１０７に出力する（Ｓ４３）。
【００５３】
本発明の立体映像表示装置は、２Ｄモードで表示パネル（ＰＮＬ）のデータライン１０６に両眼視差のない２Ｄ映像のデータ電圧（Ｖｄａｔａ）を出力し、所定時間（Ｔｄ）だけ遅延されたゲートパルス（Ｖｇａｔｅ）をゲートライン１０７に出力する（Ｓ４４）。 ２Ｄ及び３Ｄモードでゲートパルス（Ｖｇａｔｅ）は、図５または図７のような形に遅延されることができる。
【００５４】
図１６のような立体映像表示装置の駆動方法は、２Ｄモードと３Ｄモードで同じゲートライン１０７に印加されるゲートパルス（Ｖｇａｔｅ）のライジングタイミングは、実質的に同一である。
【００５５】
ゲートパルスのライジングタイミングは、前記データ電圧のライジングエッジ時間以後に遅延される。前記２Ｄモードと、前記３Ｄモードにおいて、データ電圧のライジングエッジからゲートパルスのライジングタイミングエッジ間の遅延時間は、互いに同一である。
【００５６】
タイミングコントローラ１０１は、ゲート出力イネーブル信号（ＧＯＥ）を用いて、２Ｄモードで発生するゲートパルスのパルス幅を、３Ｄモードで発生する前記ゲートパルスのパルス幅より大きくなるように制御したり、２Ｄモードで発生するゲートパルスのパルス幅を、３Ｄモードで発生するゲートパルスのパルス幅と同一となるように制御する。
【図１】
2015007744.tif 000003
【図２】
2015007744.tif 000004
【図３】
2015007744.tif 000005
【図４】
2015007744.tif 000006
【図５】
2015007744.tif 000007
【図６】
2015007744.tif 000008
【図７】
2015007744.tif 000009
【図８】
2015007744.tif 000010
【図９】
2015007744.tif 000011
【図１０】
2015007744.tif 000012
【図１１】
2015007744.tif 000013
【図１２】
2015007744.tif 000014
【図１３】
2015007744.tif 000015
【図１４】
2015007744.tif 000016
【図１５】
2015007744.tif 000017
【図１６】
2015007744.tif 000018